(57)【特許請求の範囲】
【請求項１】
試料を配置するための試験空間が形成された試験槽と、
前記試験槽の上面に設けられ、上面が開放されたトレーと、を備え、
前記トレーの前壁は、前面にスイッチ類が配設され、ケース内に制御基板が収納された構成の操作部によって構成され、
前記トレーの後壁は、ケース内に制御基板が収納された構成の制御部によって構成されている環境試験装置。
【請求項２】
試料を配置するための試験空間が形成された試験槽と、
前記試験槽の上面に設けられ、上面が開放されたトレーと、を備え、
前記トレーの前壁は、スイッチ類が配設された操作部によって構成され、
前記トレーの後壁は、制御基板が収納された制御部によって構成され、
前記トレーの左右の側壁は、前記操作部と前記制御部とを繋ぐ中空体によって構成されている環境試験装置。
【請求項３】
請求項１又は２に記載の環境試験装置において、
前記トレーに被せられる蓋体が設けられており、前記蓋体は前記トレーに着脱可能又は前記トレーの上面を開閉可能である環境試験装置。
【請求項４】
請求項３に記載の環境試験装置において、
前記蓋体には、前記トレーとの間に間隙を形成する切欠き部、又は貫通孔が形成されている環境試験装置。
【請求項５】
請求項２に記載の環境試験装置において、
前記トレーに被せる蓋体が設けられており、前記蓋体は前記トレーに着脱可能又は前記トレーの上面を開閉可能であり、
前記中空体は、前記蓋体の左右両端部を支持する支持部として機能する環境試験装置。
【請求項６】
請求項１から５の何れか１項に記載の環境試験装置において、
前記試験槽の側壁には、前記試験空間と外部とを連通する連通孔が形成されており、
前記試験槽の前記側壁の外面には、少なくとも前記連通孔を覆うように側面ダクトが着脱可能に設けられている環境試験装置。
【発明の詳細な説明】
【技術分野】
【０００１】
本発明は、環境試験装置に関するものである。
【背景技術】
【０００２】
従来、下記特許文献１に開示されているように、試料を試験槽内に収容して所定の温度・湿度環境下にさらし、試料の性能、品質、寿命等の信頼性についての試験を行う環境試験装置が知られている。プリント基板等の試料の環境試験を行う際には、例えば、図２３に示すように、試験槽１０１内に収容された試料に結線された配線１０２を計測器１０４に接続する一方で、この計測器１０４による測定データを処理するコンピュータ１０５を用いることがある。この場合、計測器１０４及びコンピュータ１０５は、環境試験装置１００の近くに配置される。
【先行技術文献】
【特許文献】
【０００３】
【特許文献１】意匠登録第１１５８５９４号公報
【発明の概要】
【発明が解決しようとする課題】
【０００４】
計測器１０４やコンピュータ１０５を用いる場合、環境試験装置１００の周囲には、信号線や電源線等の多数の配線が存在することになり、また、これら以外にも、試験に関連する資料、工具、その他多くの物が環境試験装置の周りに存在することもある。このため、環境試験装置１００の周囲環境が悪化し、これら配線等が環境試験作業の邪魔になることがある。
【０００５】
そこで、本発明は、前記従来技術を鑑みてなされたものであり、その目的とするところは、環境試験装置の周囲環境が悪化することを抑制できる環境試験装置を提供することにある。
【課題を解決するための手段】
【０００６】
前記の目的を達成するため、本発明は、試料を配置するための試験空間が形成された試験槽と、前記試験槽の上面に設けられ、上面が開放されたトレーと、を備え、前記トレーの前壁は、前面にスイッチ類が配設され、ケース内に制御基板が収納された構成の操作部によって構成され、前記トレーの後壁は、ケース内に制御基板が収納された構成の制御部によって構成されている環境試験装置である。
【０００７】
本発明では、試験槽の上面にトレーが設けられているので、このトレーに、例えば、配線の一部分を束ねて収容することができ、また、試験に関連する資料類、工具等の物品も収容することができる。したがって、環境試験装置の周囲環境が悪化することを抑制することができる。
【０００８】
しかも、前記トレーの前壁及び後壁が、前面にスイッチ類が配設され、ケース内に制御基板が収納された操作部又はケース内に制御基板が収納された構成の制御部によって構成されているので、環境試験装置に本来的に必要な操作部又は制御部を利用してトレーの前壁及び後壁が形成される。このため、部材が増えるのを抑制することができる。
【００１０】
本発明は、試料を配置するための試験空間が形成された試験槽と、前記試験槽の上面に設けられ、上面が開放されたトレーと、を備え、前記トレーの前壁は、スイッチ類が配設された操作部によって構成され、前記トレーの後壁は、制御基板が収納された制御部によって構成され、前記トレーの左右の側壁は、前記操作部と前記制御部とを繋ぐ中空体によって構成されている環境試験装置である。この態様では、中空体の中には、操作部と制御部を繋ぐ配線を通すことができる。このため、トレーが形成されることによって、操作部と制御部とが離れた位置に配置される構成でも、操作部と制御部を繋ぐ配線が露出することを防止することができる。
【００１１】
前記トレーに被せられる蓋体が設けられていてもよい。この場合、前記蓋体は前記トレーに着脱可能又は前記トレーの上面を開閉可能であってもよい。この態様では、蓋体がトレーの上面を塞いだ状態では、トレー内に収容された物品が外部から見えなくなる。したがって、外観が良好になる。また、トレーの上面が開放された状態では、配線等の物品等をトレー内に収容したり、トレーから取り出したりすることができる。
【００１２】
前記蓋体には、前記トレーとの間に間隙を形成する切欠き部、又は貫通孔が形成されていてもよい。この態様では、トレーと蓋体の切欠き部との間に形成された間隙を通して配線を外部からトレー内に引き込むことができる。また、蓋体に貫通孔が形成されている場合には、この貫通孔を通して配線を外部からトレー内に引き込むことができる。
【００１３】
前記トレーに被せる蓋体が設けられている場合、前記蓋体は前記トレーに着脱可能又は前記トレーの上面を開閉可能であり、前記中空体は、前記蓋体の左右両端部を支持する支持部として機能してもよい。この態様では、蓋体がトレーの上面を塞いだ状態では、トレー内に収容された物品が外部から見えなくなる。したがって、外観が良好になる。また、トレーの上面が開放された状態では、配線等の物品等をトレー内に収容したり、トレーから取り出したりすることができる。さらに、操作部と制御部を繋ぐ配線を通すことができる中空体を、蓋体の支持剛性を確保する部材としても機能させることができる。
【００１４】
前記試験槽の側壁には、前記試験空間と外部とを連通する連通孔が形成されていてもよい。この場合、前記試験槽の前記側壁の外面には、少なくとも前記連通孔を覆うように側面ダクトが着脱可能に設けられていてもよい。この態様では、連通孔から引き出された配線を側面ダクト内に通すことができる。したがって、外観が悪化することを抑制することができる。
【発明の効果】
【００１５】
以上説明したように、本発明によれば、環境試験装置の周囲環境が悪化することを抑制することができる。
【図面の簡単な説明】
【００１６】
【図１】本発明の実施形態に係る環境試験装置の外観を描いた図である。
【図２】前記環境試験装置を側方から見た状態で、試験槽の内部構成を説明するための図である。
【図３】前記環境試験装置に設けられる操作部、トレー及び制御部を説明するための図である。
【図４】前記操作部、トレー及び制御部を上から見た状態で、制御部内の構成の説明をするための図である。
【図５】図４のＶ−Ｖ線における断面図である。
【図６】ピン支持部近傍におけるトレーの右壁及び蓋体を部分的に示す断面図である。
【図７】前記環境試験装置としての恒温恒湿器を正面側から視た斜視図である。
【図８】前記恒温恒湿器を背面側から視た斜視図である。
【図９】前記恒温恒湿器の正面図である。
【図１０】前記恒温恒湿器の背面図である。
【図１１】前記恒温恒湿器の左側面図である。
【図１２】前記恒温恒湿器の右側面図である。
【図１３】前記恒温恒湿器の平面図である。
【図１４】前記恒温恒湿器の底面図である。
【図１５】内部機構を省略したＡ部Ｂ−Ｂ線拡大端面図である。
【図１６】前記恒温恒湿器の使用状態を示す図である。
【図１７】本発明のその他の実施形態に係る環境試験装置の外観を描いた図である。
【図１８】本発明のその他の実施形態に係る環境試験装置の外観を描いた図である。
【図１９】参考例に係る環境試験装置の操作部、制御部及びトレーを描いた図である。
【図２０】参考例に係る環境試験装置の操作部、制御部及びトレーを描いた図である。
【図２１】本発明のその他の実施形態に係る環境試験装置の外観を描いた図である。
【図２２】本発明のその他の実施形態に係る環境試験装置に設けられる蓋体の図である。
【図２３】従来の環境試験装置を説明する図である。
【発明を実施するための形態】
【００１７】
以下、本発明を実施するための形態について図面を参照しながら詳細に説明する。
【００１８】
本実施形態に係る環境試験装置は、試料を所定の温度条件及び湿度条件の雰囲気に曝して試料に熱負荷を与える恒温恒湿槽として構成されている。環境試験装置は、試料を所定の温度雰囲気に曝して熱負荷を与える恒温槽として構成されていてもよい。
【００１９】
図１に示すように、本実施形態の環境試験装置１０は、試験槽１２と、試験槽１２の上面に設けられたトレー１４とを備えている。なお、環境試験装置１０によって試験を行う際には、計測器１６やパーソナルコンピュータ１８が接続されることがある。
【００２０】
試験槽１２は、図２に示すように、前側壁を構成する扉体２２、左側壁２４、右側壁２５、後側壁２６、底面部２７及び天部２８を備え、全体として直方体形状に形成されている。試験槽１２内には、扉体２２、左側壁（前から見て右側の側壁）２４、右側壁（前から見て左側の側壁）２５、後側壁２６、底面部２７及び天部２８によって囲まれた内部空間ＩＳが形成されている。内部空間ＩＳには、試料を配置するための試験空間ＴＳと、試験空間ＴＳと連通し、試験空間ＴＳ内に供給される空気の温調を行う空調空間ＣＳと、が含まれている。試験空間ＴＳは略直方体形状に形成されている。なお、空調空間ＣＳは、試験槽１２内の内部空間ＩＳの一部として形成されている必要はなく、試験槽１２外に形成されるとともに、試験槽１２を貫通する図略の貫通路によって試験槽１２内に形成された試験空間ＴＳと連通する構成であってもよい。
【００２１】
扉体２２、左側壁２４、右側壁２５、後側壁２６、底面部２７及び天部２８はそれぞれ、金属板等からなる外壁板３０と、外壁板３０と間隔をおいて配置された金属板等からなる内壁板３２（図２参照）と、これら外壁板３０及び内壁板３２間に設けられた図略の断熱材とによって構成されている。
【００２２】
空調空間ＣＳには、空気を冷却する冷却部である蒸発器３６と、空気を加熱する加熱部であるヒータ３８と、空気を加湿する加湿部である加湿器４０と、が配置されている。また、空調空間ＣＳと試験空間ＴＳとを仕切る仕切部材４２には、空調空間ＣＳ内の空気を試験空間ＴＳに吹き出させる送風部であるファン４４が配置されている。また、内部空間ＩＳには、試験空間ＴＳの空気温度を検出する温度検知部である温度センサ（乾球センサ）４６と、湿球センサ４８とが配置されている。なお、仕切部材４２には、試験空間ＴＳ内の空気を空調空間ＣＳ内に戻すための連通孔４２ａが形成されている。したがって、内部空間ＩＳ内では、空気が空調空間ＣＳと試験空間ＴＳとの間で循環する。
【００２３】
試験槽１２の左側壁２４には、試験空間ＴＳと試験槽１２の外部とを連通させる連通孔５０が形成されている（図２参照）。試料に接続された配線をこの連通孔５０を通して外部に引き出すことができる。なお、連通孔５０はカバーによって塞ぐこともできる。
【００２４】
試験槽１２の後面側（背面側）には機械室５４が設けられている。機械室５４には、蒸発器３６との間で熱媒体を循環させる図略の冷凍機等が配置されている。
【００２５】
試験槽１２の上には、操作部５６及び制御部５８が配置されており、操作部５６及び制御部５８は、前側からこの順に配設されている。操作部５６は、扉体２２の真上に位置しているため（図２参照）、天部２８よりも前側に配置されている。
【００２６】
操作部５６は、ケース５６ａ内に図略の制御基板等が収納された構成となっている。ケース５６ａは、主として金属板によって形成されており、一部に樹脂製部品が用いられている。図３に示すように、操作部５６は、左右方向に細長い外形形状に形成されており、操作部５６の前面には、操作用のスイッチ類、入出力部として機能する表示部等が配設されている。操作部５６のケース５６ａは、所定の高さを有するとともに、試験槽１２の幅（左右方向の長さ）とほぼ同じ幅を有している（図１参照）。操作部５６のケース５６ａの高さは、幅方向の全体に亘って同じ高さとなっている。
【００２７】
制御部５８は、ケース５８ａ内に図略の制御基板、電子機器類等が収納された構成となっている。制御部５８のケース５８ａは、金属板で構成されており、操作部５６の上面と面一の上面を有し、全体として偏平な直方体形状に形成されている（図２及び図３参照）。制御部５８は、試験槽１２から機械室５４に亘る範囲に設けられており、試験槽１２及び機械室５４の上側に配置されている。
【００２８】
操作部５６と制御部５８とは所定の間隔を空けた状態で配置されており、操作部５６はトレー１４の前壁１４ａとしても機能し、制御部５８は、トレー１４の後壁１４ｂとしても機能している。つまり、トレー１４の前壁１４ａは、操作部５６によって構成されており、トレー１４の後壁１４ｂは、制御部５８によって構成されている。そして、操作部５６と制御部５８との間の間隙部が、トレー１４の凹部である収容部１４ｃとして機能する。トレー１４の収容部１４ｃは、ケース５６ａによって操作部５６の内部と仕切られており、またケース５８ａによって制御部５８の内部とも仕切られている。このため、収容部１４ｃに収容されたねじや配線等は、操作部５６や制御部５８の内部に侵入できない。したがって、安全性が確保されている。
【００２９】
図３及び図４に示すように、トレー１４は、前壁（操作部５６）１４ａ、後壁（制御部５８）１４ｂ、左側の側壁（前から見て右側の側壁）である左壁１４ｄ及び右側の側壁（前から見て左側の側壁）である右壁１４ｅを有し、試験槽１２の天部２８がトレー１４の底部１４ｆを構成している。トレー１４の収容部１４ｃには、配線、試験に関連する資料類、工具等の物品を収容することができる。
【００３０】
制御部５８の前面には、図１に示すように、トレー１４内にコネクタ６２が設けられていてもよい。このコネクタ６２は、制御部５８の制御基板等と電気的に接続されている。このため、計測器１６やパーソナルコンピュータ１８に接続された信号線がこのコネクタ６２に接続されることにより、制御部５８と計測器１６等が信号を授受可能に接続される。
【００３１】
トレー１４の左壁１４ｄ及び右壁１４ｅは、操作部５６と制御部５８とを繋ぐ中空体によって構成されている。具体的には、トレー１４の左壁１４ｄ及び右壁１４ｅは、板金によって角筒状に形成された構成であり（右壁１４ｅを示す図６参照）、試験槽１２の前後方向に延びるように試験槽１２の天部２８の上に配置されている。そして、左壁１４ｄ及び右壁１４ｅの前端は、操作部５６のケース５６ａの後面と接続されており、左壁１４ｄ及び右壁１４ｅの後端は、制御部５８のケース５８ａの前面に接続されている。このため、制御部５８のケース５８ａ内に設けられた制御基板と操作部５６のケース５６ａ内に設けられた機器類とを接続する配線は、側壁（左壁１４ｄ、右壁１４ｅ）内の空間を通すことができる。
【００３２】
右壁１４ｅと左壁１４ｄは、同じ高さに形成されており、これらの高さは、操作部５６及び制御部５８に比べて低く設定されている。これは、後述の蓋体６８を載せた状態で、蓋体６８の上面、操作部５６の上面及び制御部５８の上面が面一になるようにするためである。
【００３３】
図３に示すように、左壁１４ｄの外側面には、凹部が形成されていて、この凹部にはコネクタ６４が設けられている。このコネクタ６４には、試料に接続された信号線や電力線等の電気線に設けられた図外のコネクタが接続される。左壁１４ｄに設けられたコネクタ６４の内側に接続された電気線（信号線、電力線）も、図示省略されているが、左壁１４ｄ内の空間を通して制御部５８内に導入されている。コネクタ６４が凹部内に設けられるため、コネクタ６４が作業者に当たる等、邪魔になることがない。なお、凹部は設けられていなくてもよい。また、コネクタが右壁１４ｅに設けられる場合には、凹部は右壁１４ｅに設けられていてもよい。
【００３４】
トレー１４には、蓋体（カバー）６８を被せることができる。蓋体６８は、図１及び図２に示すように、トレー１４の収容部１４ｃを塞ぐためのものであり、蓋体６８は、左壁１４ｄ及び右壁１４ｅに架設されるように載せられる。つまり、左右の側壁（左壁１４ｄ及び右壁１４ｅ）は、蓋体６８の左右両端部を支持する支持部として機能する。
【００３５】
蓋体６８は、トレー１４に対して着脱可能となっている。左壁１４ｄ及び右壁１４ｅの上面部１４ｇには、位置決め用のピン支持部６９が設けられており、蓋体６８の隅角部の下面に設けられた図略のピンをこのピン支持部６９に嵌め込むことにより、トレー１４を所定の位置に位置決めすることができる。そして、ピンがピン支持部６９から外れるように蓋体６８を引き上げることにより、トレー１４から蓋体６８を取り外すことができる。
【００３６】
蓋体６８は、上面部６８ａと、上面部６８ａの左右両端から一方向（下面）に張り出した脚部６８ｂとを有している。上面部６８ａの後端部には、制御部５８の前面との間に間隙を形成するための上面切欠き部６８ｃが形成されている。上面切欠き部６８ｃと制御部５８の前面との間の間隙は、配線を通過させることができる幅を有する。なお、上面切欠き部６８ｃは、操作部５６の後面との間に間隙が形成されるように、上面部６８ａの前端部に形成されていてもよい。
【００３７】
脚部６８ｂには、側壁（左壁１４ｄ及び右壁１４ｅ）の上面部１４ｇとの間に間隙を形成するための側面切欠き部６８ｄが形成されている。側面切欠き部６８ｄと側壁（左壁１４ｄ及び右壁１４ｅ）の上面部１４ｇとの間の間隙は、配線を通過させることができる幅を有する。
【００３８】
蓋体６８は、操作部５６の幅及び制御部５８の幅（左右方向の長さ）と同じ幅を有している。このため、トレー１４の両側壁（左壁１４ｄ及び右壁１４ｅ）に架設されるように、トレー１４に蓋体６８が被せられると、環境試験装置１０の上面は、平坦な略矩形状となる。このため、上面にパーソナルコンピュータ１８や計測器１６等を載置することができる。
【００３９】
制御部５８は、ケース５８ａ内に制御基板等が収納された構成であるが、制御部５８の上に計測器１６等を載置できるように、ケース５８ａの剛性を向上させるための補強部材７１（図４参照）がケース５８ａ内に設けられている。すなわち、制御部５８のケース５８ａには、その天板５８ｂの裏面に補強部材７１が装着されている。天板５８ｂに補強部材７１が固着されることにより、天板５８ｂの剛性を向上させることができる。なお、補強部材７１は、天板５８ｂの裏面に取り付けられる構成に限られるものではない。補強部材７１は、ケース５８ａ内の中央部に位置して試験槽１２の天部２８の上面に載置されていてもよい。この場合、補強部材７１は、天板５８ｂの中央部が沈み込まないように天板５８ｂを下から支持することになる。
【００４０】
また、ケース５８ａの周縁部においてもケース５８ａの剛性を向上する構成が採用されている。すなわち、図５に示すように、ケース５８ａを構成する側板５８ｃと天板５８ｂとが別個の板材で形成されるとともに、これら板材の縁部が互いに重ね合わされた状態で結合されている。具体的には、側板５８ｃを構成する板材の上端部が水平になるように折り曲げられている。一方、天板５８ｂの側端部は折り返されていて、二重に重ね合わされた構成となっている。そして、制御部５８のケース５８ａの周縁部においては、側板５８ｃを構成する板材の上端部と天板５８ｂを構成する板材の側端部とが重ね合わされることによって、三重構造となっている。これにより、ケース５８ａの周縁部においても剛性の向上が図られており、制御部５８の上に計測器１６等を置けるようになっている。
【００４１】
トレー１４の左右側壁（左壁１４ｄ及び右壁１４ｅ）及び蓋体６８についても剛性を向上させる構成が採用されている。すなわち、図６に示すように、トレー１４の側壁（左壁１４ｄ及び右壁１４ｅ）は、２つの板材によって構成されており、側壁（左壁１４ｄ及び右壁１４ｅ）の上面部１４ｇにおいて両板材の端部同士が重ね合わされている。これにより、側壁自体の剛性が向上されている。なお、トレー１４の側壁（左壁１４ｄ及び右壁１４ｅ）は２つの板材で構成されていなくてもよい。
【００４２】
蓋体６８は、蓋体６８を構成する板材の左右端部が下向きに折り曲げられていて、この折り曲げられた部位が前記脚部６８ｂとして構成されている。脚部６８ｂは、上面部６８ａから下向きに延出された縦部６８ｂ１と、縦部６８ｂ１の下端部から内向きに延出された横部６８ｂ２とを備えた構成となっている。横部６８ｂ２が側壁（左壁１４ｄ及び右壁１４ｅ）の上面部１４ｇに重ね合わされる。これにより、蓋体６８の剛性も向上されていて、蓋体６８の上にも計測器１６等を置けるようになっている。なお、下向きに延出された縦部６８ｂ１の下端部に繋がる横部６８ｂ２が設けられているのは、ピンの近傍のみであり、側面切欠き部６８ｄには設けられていない。脚部６８ｂは、断面矩形状の筒状に形成されていてもよい。
【００４３】
以上説明したように、本実施形態では、試験槽１２の上面にトレー１４が設けられているので、このトレー１４に、例えば、配線の一部分を束ねて収容することができ、また、試験に関連する資料類、工具等の物品も収容することができる。したがって、環境試験装置１０の周囲環境が悪化することを抑制することができる。
【００４４】
また本実施形態では、トレー１４の前壁１４ａが操作部５６によって構成され、トレー１４の後壁１４ｂが制御部５８によって構成されている。すなわち、環境試験装置１０に本来的に必要な操作部５６及び制御部５８を利用してトレー１４の前壁１４ａ及び後壁１４ｂが形成されるため、部材が増えるのを抑制することができる。
【００４５】
また本実施形態では、トレー１４の左右の側壁（左壁１４ｄ及び右壁１４ｅ）が中空体によって構成されているため、この中空体の中に操作部５６と制御部５８を繋ぐ配線を通すことができる。このため、トレー１４が形成されることによって、操作部５６と制御部５８とが離れた位置に配置される構成でも、操作部５６と制御部５８を繋ぐ配線が露出することを防止することができる。
【００４６】
また本実施形態では、トレー１４に着脱可能な蓋体６８が設けられている。このため、蓋体６８がトレー１４の上面を塞いだ状態では、トレー１４内に収容された物品が外部から見えなくなる。したがって、外観が良好になる。また、トレー１４の上面が開放された状態では、配線等の物品等をトレー１４内に収容することができる。
【００４７】
また本実施形態では、蓋体６８に切欠き部６８ｃ，６８ｄが形成れているため、トレー１４と蓋体６８の切欠き部６８ｃ，６８ｄとの間に形成された間隙を通して配線を外部からトレー１４内に引き込むことができる。
【００４８】
また本実施形態では、トレー１４の側壁（左壁１４ｄ及び右壁１４ｅ）が蓋体６８の左右両端部を支持する支持部としても機能するため、操作部５６と制御部５８を繋ぐ配線を通すことができる中空体からなる側壁（左壁１４ｄ及び右壁１４ｅ）を、蓋体６８の支持剛性を確保する部材としても機能させることができる。
【００４９】
なお、本発明は、前記実施形態に限られるものではなく、その趣旨を逸脱しない範囲で種々変更、改良等が可能である。例えば、図１７に示すように、環境試験装置１０には、側面ダクト７５が設けられていてもよい。この側面ダクト７５は、試験槽１２の左側壁２４に形成された連通孔５０を覆うように試験槽１２の側壁２４の外面に取付け可能に構成されている。側面ダクト７５と左側壁２４の外面との間には空間が形成されるため、連通孔５０から引き出された配線７７をこの空間を通して試験槽１２の上側に引き出すことができる。これにより、環境試験装置１０の外観が悪化することを抑制することができる。なお、連通孔５０は、右側壁２５に設けられていてもよい。この場合、側面ダクト７５は右側壁２５に取り付けられる。
【００５０】
前記実施形態では、扉体２２に観察窓が形成されていない構成としたがこれに限られない。図１８に示すように、扉体２２に、試験空間ＴＳ内が観察できる観察窓７９が形成されていてもよい。また、この観察窓７９とともに、あるいはこの観察窓７９に代えて、試験槽１２の天部２８に観察窓８０が形成されていてもよい。また、試験槽１２の天部２８に、試験空間ＴＳ内と試験槽１２の外部とを連通させる連通孔８１が形成されていてもよい。観察窓８０及び連通孔８１は、天部２８のうち、トレー１４の底部１４ｆとして機能する部位に設けられている。観察窓７９，８０は、例えばガラス製である。
【００５１】
前記実施形態では、操作部５６がトレー１４の前壁１４ａとしても機能し、制御部５８がトレー１４の後壁１４ｂとしても機能する構成とした。参考例では、図１９に示すように、制御部５８がトレー１４の前壁１４ａとして機能する。この場合、操作部５６は制御部５８の前側に隣接して配置されるため、トレー１４の収容部１４ｃから離間した構成となる。トレー１４は、左壁１４ｄ及び右壁１４ｅの後端同士を接続する後壁１４ｂが制御部５８とは別個に設けられる。
【００５２】
参考例では、図２０に示すように、操作部５６がトレー１４の後壁１４ｂとして機能する。この場合、制御部５８は、操作部５６の後側に隣接して配置されるため、トレー１４の収容部１４ｃから離間した構成となる。トレー１４は、左壁１４ｄ及び右壁１４ｅの前端同士を接続する前壁１４ａが操作部５６とは別個に設けられる。この構成では、操作部５６が扉体２２によって開閉される開口から離れているため、扉体２２の開放時に試験空間ＴＳから放出される熱の影響を受け難くすることができる。なお、この構成でも、蓋体６８を用いることができる。この場合には、例えば、操作部５６のスイッチ類が蓋体６８の上側に位置する配置となる。
【００５３】
前記実施形態では、蓋体６８がトレー１４に対して着脱可能な構成としたが、これに限られない。図２１に示すように、蓋体６８は、トレー１４の上面が閉じられた位置と、トレー１４の上面が開放された位置との間で移動してトレー１４の上面を開閉するようにトレー１４に取り付けられていてもよい。蓋体６８がトレー１４の上面を閉じる位置にあるときには、蓋体６８の脚部６８ｂがトレー１４の側壁に載置された状態となる。なお、図例では、蓋体６８の後端部がトレー１４に回動可能に軸支された構成を示しているが、蓋体６８の左端部、右端部及び前端部の何れかが回動可能に軸支されていてもよい。
【００５４】
前記実施形態では、蓋体６８が設けられた構成としたが、これに限られない。蓋体６８を有しない構成でもよい。蓋体６８の上面切欠き部６８ｃ及び側面切欠き部６８ｄの少なくとも一方が省略されていてもよい。
【００５５】
前記実施形態では、トレー１４の底部１４ｆが試験槽１２の天部２８によって構成されているが、これに限られない。例えば、トレー１４の底部１４ｆが天部２８と別個に設けられた部材によって構成されていてもよい。
【００５６】
前記実施形態では、トレー１４に切欠き部６８ｃ，６８ｄが設けられた構成としたが、これに限られない。切欠き部６８ｃ，６８ｄに代え、トレー１４に貫通孔（スリット）６８ｅが形成されていてもよい（図２２参照）。この場合、この貫通孔６８ｅを通して配線を外部からトレー１４内に引き込むことができる。
【００５７】
前記実施形態では、トレー１４の左壁１４ｄ及び右壁１４ｅの双方が中空体によって形成されているが、これに限られない。左壁１４ｄ及び右壁１４ｅの少なくとも一方が、中空体ではなく中実状の部材（例えば、板材や棒状部材）によって構成されていてもよい。例えば、図１９や図２０に示す形態のように、操作部５６と制御部５８とが互いに隣接する構成では、配線を左壁１４ｄ及び右壁１４ｅ内に通す必要がないため、左壁１４ｄ及び右壁１４ｅの双方が中実状の部材で形成されていてもよい。なお、操作部５６と制御部５８とが離れた構成でも、配線を通す部材を追加したり、配線を側面に這わせる等の構成とすれば、左壁１４ｄ及び右壁１４ｅの双方を中実状の部材で構成することができる。
【符号の説明】
【００５８】
１０  環境試験装置
１２  試験槽
１４  トレー
１４ａ  前壁
１４ｂ  後壁
１４ｃ  収容部
１４ｄ  左壁
１４ｅ  右壁
１４ｆ  底部
１４ｇ  上面部
２４  左側壁
２５  右側壁
２８  天部
５０  連通孔
５６  操作部
５６ａ  ケース
５８  制御部
５８ａ  ケース
５８ｂ  天板
５８ｃ  側板
６８  蓋体
６８ａ  上面部
６８ｂ  脚部
６８ｃ  上面切欠き部
６８ｄ  側面切欠き部
７１  補強部材
７５  側面ダクト
７７  配線
【図１】
0005906225.tif 000002
【図２】
0005906225.tif 000003
【図３】
0005906225.tif 000004
【図４】
0005906225.tif 000005
【図５】
0005906225.tif 000006
【図６】
0005906225.tif 000007
【図７】
0005906225.tif 000008
【図８】
0005906225.tif 000009
【図９】
0005906225.tif 000010
【図１０】
0005906225.tif 000011
【図１１】
0005906225.tif 000012
【図１２】
0005906225.tif 000013
【図１３】
0005906225.tif 000014
【図１４】
0005906225.tif 000015
【図１５】
0005906225.tif 000016
【図１６】
0005906225.tif 000017
【図１７】
0005906225.tif 000018
【図１８】
0005906225.tif 000019
【図１９】
0005906225.tif 000020
【図２０】
0005906225.tif 000021
【図２１】
0005906225.tif 000022
【図２２】
0005906225.tif 000023
【図２３】
0005906225.tif 000024